(57)【要約】      （修正有）【課題】組み立てに力が要らず、分解が便利で、運動強度を有効に高められる左右スイングアーム型ステップマシンを提供する。【解決手段】ステップマシン１は底台１０とペダル２０を有し、底台１０上にアップダウン形状のスライドレール１１を設置し、スライドレール１１頂端は峰部、峰部両側底端は夫々谷部１１ｂで、峰部両側或いは谷部１１ｂ両側底端に夫々係止ブロック１２を設置し、ペダル２０下端にはキャスター２１を枢接し、ペダル２０下端面両端に伸縮弾力部材３０を夫々固定して接続し、伸縮弾力部材３０反対端は底台１０両側に各々固定して接続され、キャスター２１はペダル２０を支え、伸縮弾力部材３０を通してペダル２０を連動し、アップダウン形状のスライドレール１１に沿って往復のアップダウン運動を行わせる。【選択図】図１
0003214669.tif 000002
【実用新案登録請求の範囲】
【請求項１】
底台と、ペダルとを有し、
前記底台上には、アップダウン形状のスライドレールを設置し、
前記スライドレールには、峰部を設置し、前記峰部の両側には、それぞれ、谷部を設置し、
前記ペダルの下端には、キャスターを枢接し、前記ペダルの両側の下端面には、伸縮弾力部材をそれぞれ固定して接続し、前記伸縮弾力部材の反対端は、前記底台の両側に固定して接続し、
前記キャスターがペダルを支え、前記伸縮弾力部材を通して、前記ペダルと連動し、前記アップダウン形状のスライドレールに沿って、往復のアップダウン運動を行わせることを特徴とするステップマシン。
【請求項２】
前記スライドレールの峰部の両側には、それぞれ、係止ブロックを設置し、前記スライドレールを分断することを特徴とする請求項１に記載のステップマシン。
【請求項３】
前記スライドレールの両側の谷部には、係止ブロックをそれぞれ設置することを特徴とする請求項１に記載のステップマシン。
【請求項４】
前記伸縮弾力部材は、ペダルの底面両側と、前記底台の間に対称に設置されることを特徴とする請求項１に記載のステップマシン。
【請求項５】
前記スライドレールの中央線両側で、前記底台の上には、それぞれ溝孔部を設置し、前記伸縮弾力部材下端に前記溝孔部を設け、該溝孔部が前記底台の底面に固定されることを特徴とする請求項４に記載のステップマシン。
【請求項６】
前記伸縮弾力部材は、１個以上設置され、前記ペダル底面の両側と、底台の間に固定されることを特徴とする請求項４に記載のステップマシン。
【請求項７】
前記伸縮弾力部材は、定位ピンを通して、前記ペダルと底台上に固定されることを特徴とする請求項５に記載のステップマシン。
【請求項８】
前記伸縮弾力部材内には、移動を補助する弾性ワイヤーを設置することを特徴とする請求項１に記載のステップマシン。
【考案の詳細な説明】
【技術分野】
【０００１】
本考案はフィットネス器材に関し、特に、ステップマシンに関する。
【背景技術】
【０００２】
ステップマシンは、現在よく見られるフィットネス器材である。
【０００３】
一般的に、ステップマシンは激しい運動ができない人、特に高齢者に適している。
【０００４】
従来の左右スイングアーム型ステップマシンは、ジョギング時の往復スイングアームのような動作を生じ、運動強度を高め、多層面の全身のひねりを強化し、腹部、心臓部位を含む下半身、上半身の鍛錬に効果を発揮する。
【０００５】
これにより、心肺機能を効果的に増強し、腹部、腰部、臀部、腿部の贅肉を減らし、太ももを細くし、ヒップアップし、体型をシェイプアップすることができる。
【０００６】
既存の左右スイングアーム型のステップマシンは、底台、及び底台と連動するペダルを有する。
【０００７】
しかし、この種の左右スイングアーム型ステップマシンの連動部材の構造は複雑で、これによりステップマシンの重量は重く、体積も大きくなってしまう。
【０００８】
しかも、使用前には組み立てに時間と労力を有し、運搬に不便で、収納に場所を取り、ステップマシンの普及の妨げとなっている。
【考案の概要】
【考案が解決しようとする課題】
【０００９】
前記先行技術には、重く、体積が大きく、使用前の組み立てに時間と労力を有し、運搬に不便で収納に場所を取るため、普及の妨げとなっているという欠点がある。
【課題を解決するための手段】
【００１０】
本考案は、組み立てに力が要らず、分解が便利で、運動強度を有効に高められる左右スイングアーム型ステップマシンである。
【００１１】
本考案によるステップマシンは、底台とペダルを有する。
【００１２】
該底台上には、アップダウン形状のスライドレールを設置し、該アップダウン形状のスライドレールには、峰部を設置し、及び該峰部の両側には、それぞれ谷部を設置し、該スライドレールの峰部の両側或いは該各谷部の底端には、係止ブロックをそれぞれ設置し、該ペダルの下端には、キャスターを枢接し、該ペダルの下端面両側には、伸縮弾力部材をそれぞれ固定して接続し、該伸縮弾力部材の反対端は、底台両側に固定して接続し、該キャスターはペダルを支え、該伸縮弾力部材を通して該ペダルを連動し、該アップダウン形状のスライドレールに沿って、往復のアップダウン運動を行わせる。
【００１３】
一実施形態中において、該アップダウン形状のスライドレールには、峰部及び谷部を設置し、これにより該ペダルがアップダウン運動を行う時、該スライドレールの峰部及び谷部に沿って波の方向が相対してずれ動く。
【００１４】
一実施形態中において、該スライドレールの最高点は峰部で、該峰部の両側には、それぞれ係止ブロックを設置し、或いは該峰部両端底部は、谷部の位置で、それぞれ係止ブロックを設置する。
【００１５】
一実施形態中において、伸縮弾力部材は、スライドレールの両端に対称に設置され、しかも該伸縮弾力部材は、該キャスターに対して位置制限効果を有し、これにより該伸縮弾力部材は、スライドレール最高点の峰部部位まで該ペダルを引き動かす。
【００１６】
一実施形態中において、該スライドレールの中央線両側で、しかも該中央線から遠い位置の該底台上に溝孔部をそれぞれ対称に設置し、該伸縮弾力部材下端は、該溝孔部を通過し、底面の底台に固定される。
【００１７】
一実施形態中において、該伸縮弾力部材は、定位ピンを通してペダルと底台上に固定される。
【００１８】
一実施形態中において、該係止ブロックは、スライドレールの両側谷部の底端或いはスライドレールの峰部両側上にそれぞれ取り付けられ、該係止ブロックは、ゴム或いはプラスチック材質を用いて製造される。
【００１９】
一実施形態中において、該伸縮弾力部材内には、移動を補助する弾性ワイヤーを設置することができる。
【００２０】
一実施形態中において、該伸縮弾力部材は、バネ或いは弾力ワイヤーである。
【考案の効果】
【００２１】
上述の説明のように、本考案は以下の長所を備える。
【００２２】
１．伸縮弾力部材を採用しペダルと底台を連接し、左右アップダウンのスライドレールを結合するため、ペダルと底台の連接構造は非常に簡単で占拠する空間が小さく、分解と組み立てが容易である。具体的な使用効果は、伸縮弾力部材引き伸ばしの抵抗力を利用してフィットネス強度を高められるほか、伸縮弾力部材の自動回復力を利用し滑り出したペダルを引き戻し、これにより運動者はさらに容易に往復のアップダウン運動を行うことができ、運動者は簡単に運動しながら、足部に対するフィットネス強度を増強できる。
【００２３】
２．伸縮弾力部材の長さを伸ばす極限の物理特性を通して、該伸縮弾力部材の特性を利用し、キャスターとペダルの運動範囲を制限し、運動者の運動の安全を高めることができる。
【００２４】
３．スライドレールはアップダウン形状に設置し、スライドレールの最高点は峰部で、該峰部両端の底部はそれぞれ谷部で、該谷部は、該峰部に対して上り坂状を呈し、運動者がペダルの片側を最高点の峰部までスライドさせたとき、ペダルが慣性力を利用して最低点の谷部まで滑り降りるのをゆっくりと待つことができる。この時、慣性力はキャスターを連動し自動的に坂を登る。さらに重要なのは、スライドレールの両端の端部が坂を登った後に下る慣性力を利用し、運動者に対して坂を登る助力を生じる。当然このとき、反対側の伸縮弾力部材の引力も、ペダルを連動し、坂を登る助力となる。
【００２５】
４．伸縮弾力部材の下端に溝孔部を設けて、底台の底面に固定され、ペダルの安定性と安全性を向上させられる。
【００２６】
５．スライドレールの峰部の両側、或いは、スライドレール両側の谷部の底端には、それぞれ、係止ブロックを設置し、ペダルの移動範囲を制限し、使用の安全性を高めることができる。
【図面の簡単な説明】
【００２７】
【図１】本考案実施形態のステップマシンの構造模式図である。
【図２】本考案実施形態のステップマシンの使用状態図である。
【図３】本考案実施形態のステップマシンの使用状態図である。
【図４】本考案実施形態のステップマシンの分解立体図である。
【図５】本考案実施形態のステップマシンの使用状態参考図である。
【図６】本考案実施形態のステップマシンの使用状態参考図である。
【考案を実施するための形態】
【００２８】
図１〜図６に示す通り、本考案によるステップマシン１は、底台１０、底台１０上で左右にアップダウンしスライドするペダル２０、及び、伸縮弾力部材３０を有する。
【００２９】
底台１０上には、アップダウン形状の管状のスライドレール１１を設置する。底台１０は、スライドレール１１と直交する一対のパイプ１０ａと、パイプ１０ａを連結する連結部１０ｂと、スライドレール１１を補強する一対の補強材１０ｃと、補強材１０ｃを連結する補強材１０ｄと、を備える。
【００３０】
スライドレール１１の最高点は峰部１１ａ、最低点は谷部１１ｂの両側底端にそれぞれ設ける。
【００３１】
スライドレール１１は、「へ」の字形状を呈する。谷部１１ｂは、峰部１１ａに対して低い位置に配置される。
【００３２】
スライドレール１１の両側のアップダウンは、相対形状を呈する。
【００３３】
峰部１１ａの部位両側には、係止ブロック１２をそれぞれ設置し、谷部１１ｂの底端には、係止ブロック１２をそれぞれ設置する。
【００３４】
底台１０上のスライドレール１１のルートの中央線両側位置には、それぞれ溝孔部１３を設置する。
【００３５】
ペダル２０は、左右分離した構造、或いは、左右が一体になったものが例示されるが、これに制限されない。
【００３６】
ペダル２０の両側の下端にそれぞれキャスター２１を枢接する。
【００３７】
図４に示す通り、キャスター２１は、例えば、２枚の板と軸から構成され、その下部が、スライドレール１１の上部にスライド可能に遊嵌する。キャスター２１がペダル２０を支えてペダル２０と連動し、アップダウン形状のスライドレール１１の形状に沿って、往復のアップダウン運動を生じる。
【００３８】
スライドレール１１は、最高点の峰部１１ａの部位両側において、それぞれ係止ブロック１２により、キャスター２１の移動が阻止される。これにより、キャスター２１がスライドレール１１の係止ブロック１２の反対側へ滑ることを防止し、移動範囲制限の効果を有する。
【００３９】
ペダル２０は、スライドレール１１の峰部１１ａを最高点とし、最高点を仮想の対称線とする。
【００４０】
スライドレール１１は連結部１０ｂの両側に対称に設置され、両側のキャスター２１もそれぞれ対称に設置される。
【００４１】
伸縮弾力部材３０は、アップダウン形状のスライドレール１１の両側に対称に設置される。伸縮弾力部材３０は、左伸縮弾力部材３１、右伸縮弾力部材３２に区分され、スライドレール１１の中央線両側上に設置される。
【００４２】
図４に示す通り、溝孔部１３は輪の一部が切り欠かれたフックである。溝孔部１３は、左伸縮弾力部材３１及び右伸縮弾力部材３２の両端部に対称に連結する。底台１０の連結部１０ｂに定位ピン１３ａを固定してある。左伸縮弾力部材３１、右伸縮弾力部材３２の下端にある溝孔部１３が定位ピン１３ａに係止することで、底台１０の底部に固定される。
【００４３】
左伸縮弾力部材３１、右伸縮弾力部材３２の上端にある溝孔部１３は、ペダル２０の両側底面上にそれぞれ対称に設置される。
【００４４】
伸縮弾力部材３０内には、移動を補助する弾性ワイヤー３３を設置することができる。
【００４５】
伸縮弾力部材３０は、ペダル２０の底面両側と底台１０の間にそれぞれ１個以上を対称に設置でき、これにより、その引き伸ばし抵抗力を調整する。
【００４６】
これらのキャスター２１はペダル２０を支え、伸縮弾力部材３０を通して、ペダル２０と連動し、スライドレール１１に沿って往復のアップダウン運動を行わせる。
【００４７】
ペダル２０がアップダウン運動を行うとき、スライドレール１１の両端に沿って、左右のキャスター２１の移動方向が反対になる。
【００４８】
図１に示す通り、ステップマシンを使用しないときには、ペダル２０は、左、右伸縮弾力部材３１、３２相互間に引力が生じないため、ペダル２０はペダル２０の中央線のスライドレール１１の峰部１１ａの部位上方にバランスよく接触する。
【００４９】
ステップマシン１の使用時には、図５、図６に示す通り、運動者が足でペダル２０を踏み、左にスライドさせると、右伸縮弾力部材３２が無理やり引き延ばされる抵抗力により、運動者の踏み込みの強度を拡大する。
【００５０】
運動者の足にかかる力を通して、ペダル２０を連動し、これにより左側キャスター２１は、左側のスライドレール１１に沿って、谷部１１ｂの位置まで滑り降り、ペダル２０の右側キャスター２１は、谷部１１ｂ底端より、右側のスライドレール１１に沿って上坂を登る。
【００５１】
その後、足でペダル２０を踏み右へスライドさせると、左伸縮弾力部材３１は自動的に、引き延ばされた抵抗力を通して、運動者の踏み込みの強度を増強する。
【００５２】
またこれにより、足下の使用力を通して、左、右アップダウンの往復運動を達成し、全身の運動効果を実現する。
【００５３】
前述した本考案の実施形態は本考案を限定するものではなく、よって、本考案により保護される範囲は後述される実用新案登録請求の範囲を基準とする。
【符号の説明】
【００５４】
１０…底台
１１…スライドレール
１１ａ…峰部
１１ｂ…谷部
１２…係止ブロック
１３…溝孔部
１３ａ…定位ピン
２０…ペダル
２１…キャスター
３０…伸縮弾力部材
３１…左伸縮弾力部材
３２…右伸縮弾力部材
３３…弾性ワイヤー
【図１】
0003214669.tif 000003
【図２】
0003214669.tif 000004
【図３】
0003214669.tif 000005
【図４】
0003214669.tif 000006
【図５】
0003214669.tif 000007
【図６】
0003214669.tif 000008